(57)【要約】【課題】リモコン本体を充電できないことを抑制できるリモコンを提供することを目的とする。【解決手段】機器を操作するリモコン本体と、前記リモコン本体を着脱可能に保持する保持部材と、前記保持部材に設けられ、前記リモコン本体を充電する充電端子部と、前記リモコン本体が前記保持部材に装着された状態で前記リモコン本体を移動させる駆動装置と、前記保持部材に設けられ、前記リモコン本体が前記保持部材に装着された状態において、前記充電端子部による前記リモコン本体の充電が可能な位置から前記リモコン本体がずれること抑える位置ずれ抑制手段と、を備えたことを特徴とするリモコンが提供される。【選択図】図１
2018071061.tif 000002
【特許請求の範囲】
【請求項１】
機器を操作するリモコン本体と、
前記リモコン本体を着脱可能に保持する保持部材と、
前記保持部材に設けられ、前記リモコン本体を充電する充電端子部と、
前記リモコン本体が前記保持部材に装着された状態で前記リモコン本体を移動させる駆動装置と、
前記保持部材に設けられ、前記リモコン本体が前記保持部材に装着された状態において、前記充電端子部による前記リモコン本体の充電が可能な位置から前記リモコン本体がずれること抑える位置ずれ抑制手段と、
を備えたことを特徴とするリモコン。
【請求項２】
前記位置ずれ抑制手段は、前記リモコン本体が前記保持部材に装着された状態において、前記リモコン本体の位置が前記充電端子部による充電が可能な位置となるように、前記リモコン本体に力を加えることを特徴とする請求項１記載のリモコン。
【請求項３】
前記保持部材は、前記リモコン本体が前記保持部材に装着されるときに水平方向を向く側面を有し、
前記充電端子部は、前記側面に設けられたことを特徴とする請求項１または２に記載のリモコン。
【請求項４】
前記保持部材は、前記リモコン本体が前記保持部材に装着されるときに前記リモコン本体が載置される底部、を有し、
前記位置ずれ抑制手段は、前記底部に設けられた磁石を有することを特徴とする請求項１〜３のいずれか１つに記載のリモコン。
【請求項５】
前記保持部材は、前記リモコン本体が前記保持部材に装着されるときに、前記充電端子部による前記リモコン本体の充電が可能な位置へ前記リモコン本体を案内する位置規制部を有することを特徴とする請求項１〜４のいずれか１つに記載のリモコン。
【発明の詳細な説明】
【技術分野】
【０００１】
本発明の態様は、一般的に、リモコンに関する。
【背景技術】
【０００２】
トイレ装置などの機器を操作するためのリモコンの本体は、壁面や棚等に設置された保持部材（リモコンホルダ）に着脱可能に設けられる場合がある。例えば、特許文献１では、ホルダ面が凹設された棚部に着脱可能に収納されるリモコン部が開示されている。
【先行技術文献】
【特許文献】
【０００３】
【特許文献１】特許第４８４１６４４号公報
【発明の概要】
【発明が解決しようとする課題】
【０００４】
リモコン本体を保持部材から取り外して使用するために、例えば、リモコン本体には充電電池が設けられる。この場合、リモコン本体の充電電池は、リモコン本体を保持部材に装着したときに充電される。
【０００５】
一方、使用状況等に応じて、駆動装置でリモコン本体の位置や向きを変化させることによって、リモコンの使いやすさを向上させることができる。しかし、上述の着脱可能な充電式のリモコン本体においては、リモコン本体が保持部材に装着されているときに、駆動による振動や衝撃が生じると、リモコン本体の充電端子の位置がずれて充電が行われない場合がある。また、駆動の衝撃により、リモコン本体が保持部材から脱落する場合もある。
【０００６】
本発明は、かかる課題の認識に基づいてなされたものであり、リモコン本体を充電できないことを抑制できるリモコンを提供することを目的とする。
【課題を解決するための手段】
【０００７】
第１の発明は、機器を操作するリモコン本体と、前記リモコン本体を着脱可能に保持する保持部材と、前記保持部材に設けられ、前記リモコン本体を充電する充電端子部と、前記リモコン本体が前記保持部材に装着された状態で前記リモコン本体を移動させる駆動装置と、前記保持部材に設けられ、前記リモコン本体が前記保持部材に装着された状態において、前記充電端子部による前記リモコン本体の充電が可能な位置から前記リモコン本体がずれること抑える位置ずれ抑制手段と、を備えたことを特徴とするリモコンである。
【０００８】
このリモコンによれば、リモコン本体が駆動装置によって移動させられたときにリモコン本体に振動や衝撃などによる力が生じても、保持部材に設けられた位置ずれ抑制手段によって、リモコン本体の位置が充電可能な位置からずれることを抑制できる。これにより、リモコン本体を充電できないことを抑制できる。
【０００９】
第２の発明は、第１の発明において、前記位置ずれ抑制手段は、前記リモコン本体が前記保持部材に装着された状態において、前記リモコン本体の位置が前記充電端子部による充電が可能な位置となるように、前記リモコン本体に力を加えることを特徴とするリモコンである。
【００１０】
このリモコンによれば、位置ずれ抑制手段がリモコン本体に力を加えていることにより、リモコン本体の位置が充電可能な位置からずれることを抑制できる。
【００１１】
第３の発明は、第１又は第２の発明において、前記保持部材は、前記リモコン本体が前記保持部材に装着されるときに水平方向を向く側面を有し、前記充電端子部は、前記側面に設けられたことを特徴とするリモコンである。
【００１２】
このリモコンによれば、保持部材に水が掛かったとしても、側面には水が溜まったり掛かったりしにくいので、充電端子部を保護できる。
【００１３】
第４の発明は、第１〜第３のいずれか１つの発明において、前記保持部材は、前記リモコン本体が前記保持部材に装着されるときに前記リモコン本体が上方から載置される底部、を有し、前記位置ずれ抑制手段は、前記底部に設けられた磁石を有することを特徴とするリモコンである。
【００１４】
このリモコンによれば、保持部材の底部に設けられた磁石によって、リモコン本体を充電可能な位置に引き寄せることができ、より確実に充電を行うことができる。
【００１５】
第５の発明は、第１〜第４のいずれか１つの発明において、前記保持部材は、前記リモコン本体が前記保持部材に装着されるときに、前記充電端子部による前記リモコン本体の充電が可能な位置へ前記リモコン本体を案内する位置規制部を有することを特徴とするリモコンである。
【００１６】
このリモコンによれば、位置規制部により、リモコン本体を充電可能な位置に取り付けやすく、リモコン本体が充電可能な位置からずれることをより抑制できる。
【発明の効果】
【００１７】
本発明の態様によれば、リモコン本体を充電できないことを抑制できるリモコンが提供される。
【図面の簡単な説明】
【００１８】
【図１】実施形態に係るリモコンを例示する構成図である。
【図２】実施形態に係るリモコンを例示する斜視図である。
【図３】図３（ａ）〜図３（ｄ）は、実施形態に係るリモコンを例示する断面図である。
【図４】実施形態に係る別のリモコンを例示する断面図である。
【図５】実施形態に係るリモコンが設けられたトイレ室を例示する斜視図である。
【図６】実施形態に係るリモコンを有するトイレシステムを例示するブロック図である。
【図７】図７（ａ）及び図７（ｂ）は、実施形態に係るリモコンの斜視図である。
【図８】実施形態に係るリモコンの一部を例示する平面図である。
【図９】実施形態に係るリモコンを例示する斜視図である。
【図１０】図１０（ａ）及び図１０（ｂ）は、実施形態に係るリモコンを例示する斜視図である。
【図１１】実施形態に係るリモコンを例示する断面図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係るリモコンを例示する構成図である。  
図１に示すように、実施形態に係るリモコン５０は、リモコン本体５２と、保持部材５４（リモコンホルダ）と、駆動装置５３と、を有する。
【００２０】
リモコン本体５２は、機器２００の動作を操作する。例えば、使用者が、リモコン本体５２に設けられたスイッチ（不図示）を操作すると、動作の指示に関する信号が機器２００へ送信され、機器２００の動作を電気的に制御することができる。
【００２１】
機器２００は、例えば、洋式腰掛便器に設置される衛生洗浄装置や、便器と衛生洗浄装置とを有するトイレ装置などである。機器２００は、リビングルーム等に設置される電気機器であってもよい。
【００２２】
保持部材５４は、リモコン本体５２を着脱可能に保持する。  
駆動装置５３は、例えば、モータ等を有し、保持部材５４に接続されている。駆動装置５３のモータ等による駆動力は、保持部材５４を介して、リモコン本体５２に伝達される。これにより、駆動装置５３は、リモコン本体５２が保持部材５４に装着された状態で、リモコン本体の少なくとも一部を移動（駆動）させる。なお、本願明細書において、移動とは、回転及び並進の少なくともいずれかをいう。例えば、駆動装置５３は、図１に示す矢印Ａの向きにリモコン本体５２を回動させる。リモコン５０の使用状況等に合わせてリモコン本体５２を使用者の使いやすい位置に移動させることにより、リモコンの使い勝手を向上させることができる。
【００２３】
図２は、実施形態に係るリモコンを例示する斜視図である。  
図２では、リモコン本体５２を保持部材５４から取り外した状態を示す。  
本実施形態に係るリモコン５０は、充電式である。リモコン本体５２は、充電電池を有し、背面に充電電池を充電するための端子部７３を有する。
【００２４】
保持部材５４は、底部５４ｇと、側壁５４ｈと、を有し、断面略Ｌ字状である。リモコン本体５２を保持部材５４に装着する際には、リモコン本体５２の向き及び保持部材５４の向きを図２のような状態とし、保持部材５４の底部５４ｇに上方からリモコン本体５２を載置する。
【００２５】
保持部材５４の側壁５４ｈは、リモコン本体５２が保持部材５４に装着されるときに水平方向を向く側面５４ｓを有する。側面５４ｓは、リモコン本体５２が保持部材５４に装着されたときに、リモコン本体５２と対向する面である。
【００２６】
リモコン５０は、側面５４ｓに設けられた充電端子部７１をさらに有する。リモコン本体５２を保持部材５４に装着したときに、充電端子部７１と、リモコン本体５２の背面に設けられた端子部７３と、が近接（例えば電気的に接触）することにより、リモコン本体５２を充電することができる。
【００２７】
リモコン本体５２を保持部材５４から着脱可能とし、充電式とすることにより、使用者は、必要に応じてリモコン本体５２を手に取って機器２００を操作することができる。これにより、使い勝手を向上させることができる。
【００２８】
図３（ａ）〜図３（ｄ）は、実施形態に係るリモコンを例示する断面図である。  
図３（ａ）は、保持部材５４にリモコン本体５２が装着された状態を示す。図３（ｂ）は、保持部材５４からリモコン本体５２を取り外す様子を示す。図３（ｃ）は、保持部材５４にリモコン本体５２を装着する様子を示す。
【００２９】
実施形態に係るリモコン５０は、リモコン本体５２の位置ずれ抑制手段８０を有する。位置ずれ抑制手段８０は、リモコン本体５２が保持部材５４に装着された状態において、充電端子部７１によるリモコン本体５２の充電が可能な位置からリモコン本体５２がずれることを抑制する。
【００３０】
図３（ａ）〜図３（ｄ）に示した例においては、位置ずれ抑制手段８０として、磁石８１が用いられている。磁石８１は、保持部材５４の底部５４ｇに設けられる。また、リモコン本体５２の下部には金属部材８２が固定されている。
【００３１】
磁石８１は、金属部材８２を引き寄せることにより、リモコン本体５２を引き寄せる。すなわち、リモコン本体５２が保持部材５４に装着された状態において、磁石８１は、リモコン本体５２の位置が充電端子部７１による充電が可能な位置となるように、リモコン本体５２に力を加える。これにより、リモコン本体５２の位置が充電可能な位置からずれることを抑制できる。
【００３２】
また、磁石８１を用いることで、リモコン本体５２を保持部材５４側に引き寄せることができるため、リモコン本体５２と保持部材５４との間に隙間が生じることを抑えることができる。
【００３３】
磁石８１は、底部５４ｇから見てリモコン本体５２とは反対側に設けられる。または、磁石８１は、底部５４ｇの内部に設けられてもよい。これにより、保持部材５４のリモコン本体５２が装着される側に、位置ずれ抑制手段が露出しないため、すっきりとした外観を得ることができる。
【００３４】
保持部材５４は、リモコン本体５２の位置を規制する位置規制部５４ｅを有する。この例では、位置規制部５４ｅは、保持部材５４の底部５４ｇに設けられた凸部である。但し、位置規制部５４ｅは、側面５４ｓに設けられてもよいし、凹部やフックなどであってもよい。
【００３５】
リモコン本体５２は、位置規制部５４ｅと係合する係合部６５を有する（図３（ｂ）、図３（ｃ））。この例では、係合部６５は、リモコン本体５２の下部に設けられた凹部である。但し、係合部６５は、リモコン本体５２の側面に設けられてもよいし、凸部やフックなどであってもよい。
【００３６】
図３（ｂ）に表したように、リモコン本体５２を引き上げることで、リモコン本体５２は、保持部材５４から取り外される。図３（ｃ）に表したように、位置規制部５４ｅを係合部６５に差し込むようにして、保持部材５４にリモコン本体５２を載せることで、リモコン本体５２は、保持部材５４に装着される。
【００３７】
位置規制部５４ｅは、テーパ形状を有する。すなわち、位置規制部５４ｅは、係合部６５に差し込まれる方向（この例で上下方向）に対して傾斜した面を有する。より具体的には、位置規制部５４ｅの幅は、図３（ａ）〜図３（ｃ）において、下方へ向かって広くなっている。これにより、位置規制部５４ｅは、その根元の部分においてリモコン本体５２と当接し、リモコン本体５２の位置を規制する。
【００３８】
また、テーパ形状により位置規制部５４ｅの先端は細いので、位置規制部５４ｅは係合部６５に入りやすい。また、位置規制部５４ｅを係合部６５に差し込むと、位置規制部５４ｅは、テーパの形状に沿ってリモコン本体５２を底部５４ｇまで誘い込む。すなわち、位置規制部５４ｅは、充電端子部７１によるリモコン本体５２の充電が可能な位置へリモコン本体５２を案内する。
【００３９】
このように実施形態においては、位置規制部５４ｅがリモコン本体５２を底部５４ｇまで誘い込む形状を有しており、かつ、磁石８１が底部５４ｇに設けられている。このため、位置規制部５４ｅが係合部６５に差し込まれる方向は、磁石８１がリモコン本体５２を引き寄せる方向と沿った方向である。これにより、リモコン本体５２を位置規制部５４ｅの根元までより確実に到達させることができ、リモコン本体５２を充電可能な位置に装着することができる。そして、位置規制部５４ｅと磁石８１とにより、リモコン本体５２が充電可能な位置からずれることを防ぐことができる。
【００４０】
図３（ｄ）は、保持部材５４及びリモコン本体５２が、図１に関して説明した駆動装置５３によって、図３（ａ）に示した状態から移動（回動）した状態を示す。このようにリモコン本体５２が移動するときには、振動や衝撃による力や重力によって、リモコン本体５２の位置が充電可能な位置からずれる場合がある。  
これに対して、実施形態においては、リモコン本体５２に振動や衝撃などによる力が生じた場合であっても、位置ずれ抑制手段によってリモコン本体５２の位置が充電可能な位置からずれることを抑制できる。
【００４１】
図４は、実施形態に係る別のリモコンを例示する断面図である。  
図４に示したリモコン５０ｊにおいては、位置ずれ抑制手段８０として、磁石８１の代わりに弾性部材８４が設けられている。保持部材５４は、底部５４ｇに設けられた凸部５４ｊを有し、リモコン本体５２は、凸部５４ｊに対応する凹部６６を有する。リモコン本体５２を保持部材５４に取り付ける際には、凹部６６に凸部５４ｊが挿入される。弾性部材８４は、凸部５４ｊに設けられている。また、凹部６６の内側には、弾性部材８４の位置に対応して、窪み６６ｅが設けられている。これ以外ついては、図４に示すリモコン５０ｊには、図１〜図３に関する説明と同様の説明を適用できる。
【００４２】
弾性部材８４は、例えば、金属製の板ばねである。但し、弾性部材８４はコイルばねであってもよい。リモコン本体５２が保持部材５４に装着された状態において、弾性部材８４は、窪み６６ｅの例えば端部に当接する。窪み６６ｅを設けることにより、保持部材５４に装着するときに、リモコン本体５２を板ばねで底部５４ｇまで押し付けることができる。また、リモコン本体５２が保持部材５４に装着された状態において、弾性部材８４は、その弾性力によって、リモコン本体５２を保持部材５４の側面５４ｓに対して押し付ける。換言すれば、弾性部材８４は、側面５４ｓへ向かう方向にリモコン本体５２を付勢している。
【００４３】
このように、リモコン本体５２が保持部材５４に装着された状態において、弾性部材８４は、リモコン本体５２の位置が充電端子部７１による充電が可能な位置となるように、リモコン本体５２に力を加える。リモコン本体５２を充電可能な位置へ押し込むことにより、リモコン本体５２の位置が充電可能な位置からずれることを抑制できる。
【００４４】
位置ずれ抑制手段８０及び位置規制部５４ｅの位置、形状、材料等は、上記の例には限られない。例えば、位置ずれ抑制手段８０を、保持部材５４の側面５４ｓに設けてもよいし、位置ずれ抑制手段８０に、ゴムや樹脂などの弾性部材やスナップフィットを用いて、リモコン本体５２を保持部材５４に押し付けるようにしてもよい。
【００４５】
以下では、リモコン５０が操作する機器２００がトイレ装置である場合を例に挙げ、リモコン５０及びリモコン５０を有するトイレシステムについて説明する。  
図５は、実施形態に係るリモコンが設けられたトイレ室を例示する斜視図である。  
図６は、実施形態に係るリモコンを有するトイレシステムを例示するブロック図である。
【００４６】
図５に表したように、トイレ室ＴＲには、リモコン５０と、トイレ装置１０とが設けられている。トイレ室ＴＲ内には、鏡２０、キャビネット３０、手洗い器４０などが設けられていてもよい。
【００４７】
トイレ装置１０は、トイレ室ＴＲの床面ＦＳ上に設置されている。あるいは、トイレ装置１０は、トイレ室ＴＲの壁面などに支柱によって支持されていてもよい。
【００４８】
トイレ装置１０は、便器１１と、便座１２と、便蓋１３と、本体部１４（衛生洗浄装置）と、を有する。便座１２は、便器１１の上に設けられている。便蓋１３は、便器１１の上に、便座１２を覆うように設けられている。本体部１４は、便器１１の後方上部に設けられている。便座１２および便蓋１３は、本体部１４によって回動可能に軸支されている。
【００４９】
図６に表したように、本体部１４は、制御部１５と、人体検知手段１６と、接近検知手段１７と、着座検知手段１８と、機能部１９と、を有する。本体部１４は、便器１１の後方に設けられた照明６１をさらに有していてもよい。
【００５０】
制御部１５は、マイコンなどの集積回路や、電波送受信モジュールなどの通信手段を有する。制御部１５は、人体検知手段１６の検知結果、接近検知手段１７の検知結果、及び、着座検知手段１８の検知結果を受信する。そして、制御部１５は、これらの検知結果から、使用者の入室の有無、使用者の便器１１への接近、便座１２への着座及び離座を判定する。また、制御部１５は、リモコン５０から、トイレ室ＴＲ内に設けられた機器への動作の指示に関する指示信号を受信する。制御部１５は、この指示信号及び前述の判定の結果の少なくともいずれかに基づいてトイレ室ＴＲ内に設けられた種々の構成要素の動作を制御する。例えば、制御部１５は、機能部１９及び照明６１の動作を制御する。また、例えば、制御部１５は、リモコン５０の動作（開閉や点灯など）を制御するための信号を、送信する。
【００５１】
機能部１９は、洗浄機能部１９ａや便座ヒータ機能部１９ｂなどを有する。洗浄機能部１９ａは、ノズルやノズルを駆動するモータなどを有し、制御部１５からの信号に基づいて、ノズルから洗浄水を噴射する。これにより、洗浄機能部１９ａは、着座した使用者の局部（例えば「おしり」など）を洗浄水で洗浄する。また、便座ヒータ機能部１９ｂは、制御部１５からの信号に基づいて、便座１２の内部に設けられた誘導加熱コイルに高周波電流を流す。これにより、便座１２を温めることができる。機能部１９は、トイレ室ＴＲ内を脱臭する脱臭機能や温風乾燥機能などをさらに有していてもよい。
【００５２】
図５に示すように、キャビネット３０は、内部に空間を有し、この内部空間に備品を収納可能に構成されている。キャビネット３０は、トイレ室ＴＲの側壁ＳＷ１に取り付けられている。キャビネット３０は、その上部に棚板（天板）３１を有し、カウンターとして機能する。棚板３１の上に手洗い器４０（ボウル４１及び水栓４２）が設けられている。
【００５３】
リモコン５０は、棚板３１の下方に設けられる。例えば、リモコン５０は、キャビネット３０に埋め込まれている。なお、リモコン５０は、必ずしもキャビネット３０に取り付けられなくてもよく、例えば、パネルなどを用いて壁面に間接的に取り付けられてもよいし、壁面に直接取り付けられてもよい。
【００５４】
リモコン５０の下方には、空間が形成されている。この空間の内部には紙巻器（ペーパーホルダ）が設けられ、この紙巻器によってトイレットペーパーが保持される。
【００５５】
図６に示すように、リモコン５０は、リモコン本体５２と、駆動装置５３と、を有する。リモコン本体５２は、第１面（第１の操作面）５２１と、第２面（第２の操作面）５２２と、を有する。
【００５６】
使用者は、第１面５２１や第２面５２２に設けられたスイッチを操作して、トイレ室ＴＲ内の各機器への動作の指示を入力できる。リモコン５０は、電波送受信モジュールなどの通信手段を有し、入力された指示に関する信号を、各機器へ送信する。例えば、リモコン５０（リモコン本体５２）は、制御部１５へ電波信号を送信し、制御部１５は、受信した信号に基づいて、トイレ装置１０の各機能を制御する。
【００５７】
また、リモコン５０は、制御部１５から送信された信号を受信し、受信した信号に基づいて、リモコン本体５２の移動（開閉）やスイッチの点灯（及び点滅）などの動作を行う。
【００５８】
リモコン５０と制御部１５との間の電波通信に用いられる電波の周波数帯は、例えば、０．３ＧＨｚ〜３ＧＨｚ程度である。但し、実施形態において、リモコン５０と制御部１５との通信は、電波通信には限られず、赤外線通信を用いることもできる。リモコン本体５２が移動する場合には、赤外線よりも指向性の低い電波を用いることが好ましい。
【００５９】
図７（ａ）及び図７（ｂ）は、実施形態に係るリモコンの斜視図である。  
図７（ａ）は、リモコン本体５２の第１状態（閉じた状態）を表し、図７（ｂ）は、リモコン本体５２の第２状態（開いた状態）を表す。この例では、リモコン本体５２は、直方体状（スティック状）である。
【００６０】
以下では、実施形態の説明のために、トイレ室ＴＲの内部から側壁ＳＷ１（図５参照）へ向かう方向を「後方」とする。「後方」は、例えば側壁ＳＷ１の壁面に対して垂直な方向である。「後方」と反対の方向を「前方」とする。
【００６１】
第１状態は、第１面５２１が露出しており、第２面５２２が隠蔽された状態である。図７（ａ）に示すように、第１状態において、第１面５２１は前方を向いており、第２面５２２は下方を向いている。すなわち、第１状態において、使用者は、第１面５２１を視認可能であるが、第２面５２２は見えない又は見え難い。
【００６２】
駆動装置５３（図８参照）は、リモコン本体５２の少なくとも一部を移動（例えば回動）させて、リモコン本体５２の状態を、第１状態と第２状態との間で遷移させる。
【００６３】
第２状態は、第２面５２２が露出した状態である。第２状態においては、第１面５２１が露出していてもよい。図３（ｂ）に示すように、第２状態において、第１面５２１は上方を向いており、第２面５２２は前方を向いている。すなわち、第２状態において、使用者は、第２面５２２（及び第１面５２１）を視認可能である。
【００６４】
第１面５２１には、便器１１に「大洗浄」の洗浄水を流す「大」スイッチ５２１Ａ、便器１１に「小洗浄」の洗浄水を流す「小」スイッチ５２１Ｂ、便座１２（図５参照）を電動で開く「便座」スイッチ５２１Ｃ、リモコン本体５２の開閉を行う「開閉」スイッチ５２１Ｄなどが設けられる。これらのスイッチ類は、スイッチ類の中で最も使用頻度が高く、またいずれも便座１２に座らずに立った状態において使用する可能性が高いものである。本実施形態においては、このように使用頻度が最も高く、また立った状態で使用される可能性が高いスイッチ類を、第１のグループとして、第１面５２１に配置している。
【００６５】
第２面５２２には、機能部１９を操作するためのスイッチが設けられる。すなわち、機能部１９の吐水を停止する「止」スイッチ５２２Ａ、機能部１９に「おしり」に向けて吐水させる「おしり」スイッチ５２２Ｂ、吐水の位置を変更する「洗浄位置」スイッチ５２２Ｃ、吐水の勢いを変更する「水勢」スイッチ５２２Ｄなどが設けられる。これらのスイッチ類は、便座１２に座った状態の使用者が操作する可能性が高いものである。このように、リモコン５０が有するスイッチ類のうちで、２番目に使用頻度が高いスイッチ類を第２のグループとして第２面５２２に配置している。なお、第２面５２２にも、使用頻度の高い第１のグループのスイッチ類を設けてもよい。
【００６６】
また、第２面５２２には、トイレ装置１０の状態などを、光によって表示する表示部５２２Ｅが設けられている。表示部５２２Ｅには、液晶ディスプレイや有機ＥＬディスプレイなどを用いることができる。表示部５２２Ｅは、タッチパネル（タッチスクリーン）であってもよく、表示部５２２Ｅを用いて使用者がトイレ装置１０を操作できるようにしてもよい。
【００６７】
リモコン本体５２の第１面５２１及び第２面５２２には、ＬＥＤ（light emitting diode）などの照明を設けてもよい。例えば、スイッチ類の周囲に点灯又は点滅する照明５２Ｌが設けられる。照明をリモコン本体５２の内部に設け、スイッチ類を内側から照らすことにより、スイッチ類を光らせてもよい。このような照明を設けることで、使用者がスイッチ類を認識しやすくなり、使い勝手が向上する。また、光により演出性を高めることができる。
【００６８】
図７（ａ）に示した第１状態では、第１面５２１に設けられたスイッチ類のみが操作可能であり、図７（ｂ）に示した第２状態では、少なくとも第２面５２２に設けられたスイッチ類が操作可能である。便座１２に座った使用者は、第２面５２２に設けられたスイッチや表示部を楽な姿勢で容易に操作し、確認することができる。
【００６９】
図８は、実施形態に係るリモコンの一部を例示する平面図である。  
図８は、図７（ｂ）に示した第２状態における、リモコン５０及びその周辺の一部を側方から眺めた様子に対応する。  
既に述べた通り、棚板３１の下方にリモコン５０が設けられ、リモコン５０の下方に紙巻器５００及びトイレットペーパー５９０が設けられている。また、リモコン５０は、保持部材５４に保持されている。
【００７０】
駆動装置５３は、モータ５３１や駆動部材５３２を有する。モータ５３１の回転は、ギヤ、カム、ベルト、プーリーなどの任意の伝達手段によって、駆動部材５３２に伝達される。駆動部材５３２は、保持部材５４と連結されており、駆動部材５３２が長孔５３２ｅの方向に沿って移動することにより、保持部材５４を図８に示す矢印Ａ１のように移動させることができる。これにより、駆動装置５３は、リモコン本体５２を移動させて、上述の第１状態と第２状態とを切り替えることができる。
【００７１】
第１状態におけるリモコン本体５２の上下方向の幅は、第２状態のリモコン本体５２の上下方向の幅よりも狭い。例えば、第１状態は、正面にリモコン本体５２の最も薄い面が現れた状態である。このように、第１状態においては、使用者が視認するリモコン本体５２の幅が狭いため、リモコンとトイレ空間との一体感を演出することができる。一方、第２状態では、正面から見たときのリモコン本体５２の幅が広いため、広い操作面を確保することができる。したがって、実施形態によれば、意匠性と操作性とを両立させることができる。また、第１状態において、第１面５２１は、棚板３１の前面３１ｆと同一平面上に位置する。これにより、リモコンとトイレ空間との一体感をさらに演出することができる。
【００７２】
次に、リモコン５０の動作のタイミングについて説明する。  
リモコン５０は、例えば、図６に示した、人体検知手段１６、接近検知手段１７及び着座検知手段１８の検知結果に基づいて動作することができる。
【００７３】
人体検知手段１６には、例えば、焦電センサ、マイクロ波センサ、超音波センサ、または測距センサ（赤外線投光式センサ）を用いることができる。この例では、人体検知手段１６には、焦電センサが用いられている。人体検知手段１６は、図６の符号Ａで表したように、便器１１の前方の広い範囲を検知する。人体検知手段１６は、例えば、使用者がトイレ室ＴＲのドアＴＤを空けて入室したことを直ちに検知可能である。これにより、例えば、人体検知手段１６は、トイレ室ＴＲ内への使用者の入室の有無を検知することができる。
【００７４】
接近検知手段１７には、例えば、マイクロ波センサ、超音波センサまたは測距センサを用いることができる。この例では、接近検知手段には、測距センサが用いられている。接近検知手段１７は、図６の符号Ｂで表したように、例えば便器１１の前に立った使用者を検知することができる。すなわち、接近検知手段１７は、使用者がトイレ室ＴＲへ入室した後に便器１１へ接近したことを検知することができる。例えば、接近検知手段１７は、使用者が便器１１の端から０．１メートル以内の領域に入ったことを検知することができる。
【００７５】
着座検知手段１８は、図６の符号Ｃで表したように、使用者の便座１２への着座の有無を検知することができる。すなわち、着座検知手段１８は、使用者の着座及び離座を検知する。着座検知手段１８には、マイクロ波センサ、測距センサ、超音波センサ、タクトスイッチ、静電容量スイッチ（タッチセンサ）、または歪みセンサを用いることができる。この例では、着座検知手段１８には、測距センサが用いられている。
【００７６】
なお、タクトスイッチ、静電センサ及び歪みセンサなどの接触式センサを用いる場合には、これらの接触式センサは、便座１２に設けられる。便座１２に使用者が座ると、使用者の体重によってタクトスイッチが押下される。または、使用者が静電センサに接触する。または、使用者の体重によって歪みセンサに圧力が加えられる。これらを検知する接触式センサからの電気信号を検出することで、使用者の着座を検知することができる。
【００７７】
まず、トイレ室ＴＲに使用者がいない待機状態においては、リモコン本体５２は、例えば第１状態である。使用者がトイレ室ＴＲに入室すると、人体検知手段１６が使用者の入室を検知する。リモコン５０は、この検知結果を含む信号を受信することで、リモコン本体５２に設けられた照明を適宜、点灯させたり点滅させたりすることができる。
【００７８】
その後、使用者が便器１１に近づくと、接近検知手段１７が使用者の接近を検知する。リモコン５０は、この検知結果を含む信号を受信することで、リモコン本体５２に設けられた照明を適宜、点灯させたり点滅させたりしてもよい。このとき、リモコン本体５２は、例えば第１状態のままであり、使用者は第１面５２１に設けられたスイッチによってトイレ装置１０を操作することができる。
【００７９】
その後、使用者が便座１２に座ると、着座検知手段１８が使用者の着座を検知する。リモコン５０は、この検知結果を含む信号を受信すると、駆動装置５３によりリモコン本体５２を移動させる。これにより、リモコン本体５２は、第１状態から第２状態へ遷移する。着座した使用者は、第２面５２２（及び第１面５２１）に設けられたスイッチによってトイレ装置１０を操作することができる。
【００８０】
その後、使用者が退室すると、人体検知手段１６、接近検知手段１７及び着座検知手段１８のいずれも使用者を検知しなくなる。すると、リモコン５０は、照明の点灯を停止する。このとき、リモコン本体５２が第２状態であった場合は、駆動装置５３は、リモコン本体５２を第１状態へ遷移させる。
【００８１】
なお、第１状態から第２状態への遷移は、接近検知手段１７の検知結果に基づいて、使用者が接近したときに行われてもよい。また、使用者は、照明が自動でオンオフすることや、リモコン５０が自動で開閉することを設定により停止できる。この場合には、リモコン本体５２に設けられたスイッチの操作により、リモコン５０の開閉（第１状態と第２状態との間の遷移）が行われる。
【００８２】
図９、図１０（ａ）及び図１０（ｂ）は、実施形態に係るリモコンを例示する斜視図である。  
図９には、リモコン本体５２を保持部材５４から取り外した様子を示す。図１０（ａ）は、図９に示す矢印Ａ２の方向に沿って見た、リモコン本体５２の背面（第３面５２３）を示す。図１０（ｂ）は、図１０（ａ）に示したリモコン本体５２の分解斜視図である。なお、第１面５２１及び第２面５２２に設けられたスイッチ類の図示は省略している。
【００８３】
図９に示すように、この例では、保持部材５４の側面５４ｓに、２つの位置規制部５４ｅと、充電端子部７１と、が設けられている。  
リモコン５０が水回りで用いられた場合、リモコン５０に水が掛かるおそれがある。例えば、手洗い器４０等により、上方からリモコン５０に水が伝ってくる場合がある。これに対して、リモコン５０に水が掛かったとしても側面５４ｓには水が溜まったり掛かったりしにくいので、充電端子部７１を側面５４ｓに設けることにより、充電端子部７１を保護することができる。
【００８４】
２つの位置規制部５４ｅは、保持部材５４の長手方向において互いに離間している。位置規制部５４ｅは、保持部材５４の長手方向に対して垂直に延びるフック状である。保持部材５４の底部５４ｇの内部には、２つの位置規制部５４ｅのそれぞれの下方に、磁石８１（位置ずれ抑制手段８０）が設けられている。
【００８５】
図１０（ａ）及び図１０（ｂ）に示すように、リモコン本体５２の背面には、保持部材５４に設けられた２つの位置規制部５４ｅに対応して、２つの凹部が設けられている。２つ凹部のそれぞれには、金属部材８２（鉄板）がビス８３によって固定されている。金属部材８２の一部は、リモコン本体５２の長手方向に対して垂直に延びるフック状の係合部６５となっている。すなわち、この例では、磁石８１に対応して設けられる金属部材８２と、位置規制部５４ｅと係合する係合部６５と、が一体に形成されている。
【００８６】
また、図１０（ａ）に示すように、リモコン本体５２の背面（第３面５２３）に、スイッチ５２３Ａを含むスイッチ類を設けてもよい。このスイッチは、例えば、オート機能の設定のスイッチや、温水、便座、温風などの温度の設定や、時刻の設定や、節電モードの設定などのスイッチである。このように、前述した第１のグループや第２のグループのスイッチ類よりも使用頻度が低いスイッチ類を第３のグループとして、第３面５２３に配置してもよい。
【００８７】
図１１は、実施形態に係るリモコンを例示する断面図である。  
図１１に示すように、金属部材８２は、第１部分８２ａと、第２部分８２ｂと、を有する。第１部分８２ａは、保持部材５４の底部５４ｇと対向する部分である。第２部分８２ｂは、第１部分８２ａから屈曲した部分であり、保持部材５４の側面５４ｓに沿って延びる。係合部６５は、第２部分８２ｂに接続されている。
【００８８】
位置規制部５４ｅと保持部材５４の側面５４ｓとの間の上下に延びる隙間に、リモコン本体５２側の係合部６５が挿入されることにより、リモコン本体５２は、保持部材５４に装着される。図１１に示すように、位置規制部５４ｅはテーパ形状を有し、位置規制部５４ｅと保持部材５４の側面５４ｓとの間隔は、上方に向かって広くなっている。これにより、リモコン本体５２を上方から保持部材５４に装着しやすい。
【００８９】
磁石８１は、金属部材８２（第１部分８２ａ、第２部分８２ｂ及び係合部６５）及び位置規制部５４ｅの下方に位置する。このため、磁石８１がリモコン本体５２を引き寄せる方向（下方向）は、位置規制部５４ｅと側面５４ｓとの間に係合部６５を差し込む方向に沿っている。これにより、途中で止まらずにフックの根元までリモコン本体５２を到達させることができる。位置規制部５４ｅ及び磁石８１（位置ずれ抑制手段８０）によって、リモコン本体５２を充電可能な位置に装着することができる。また、がたつきなどを抑制して、リモコン本体５２の位置がずれることを防ぐことができる。
【００９０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン本体、保持部材、充電端子部、駆動装置、位置ずれ抑制手段及び位置規制部などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９１】
１０ トイレ装置、  １１ 便器、  １２ 便座、  １３ 便蓋、  １４ 本体部、  １５ 制御部、  １６ 人体検知手段、  １７ 接近検知手段、  １８ 着座検知手段、  １９ 機能部、  １９ａ 洗浄機能部、  １９ｂ 便座ヒータ機能部、  ２０ 鏡、  ３０ キャビネット、  ３１ 棚板、  ３１ｆ 前面、  ４０ 手洗い器、  ４１ ボウル、  ４２ 水栓、  ５０、５０ｊ リモコン、  ５２ リモコン本体、  ５２Ｌ 照明、  ５３ 駆動装置、  ５４ 保持部材、  ５４ｅ 位置規制部、  ５４ｇ 底部、  ５４ｈ 側壁、  ５４ｊ 凸部、  ５４ｓ 側面、  ６１ 照明、  ６５ 係合部、  ６６ 凹部、  ６６ｅ 窪み、  ７１ 充電端子部、  ７３ 端子部、  ８０ 位置ずれ抑制手段、  ８１ 磁石、  ８２ 金属部材、  ８２ａ 第１部分、  ８２ｂ 第２部分、  ８３ ビス、  ８４ 弾性部材、  ２００ 機器、  ５００ 紙巻器、  ５２１ 第１面、  ５２１Ａ 「大」スイッチ、  ５２１Ｂ 「小」スイッチ、  ５２１Ｃ 「便座」スイッチ、  ５２１Ｄ 「開閉」スイッチ、  ５２２ 第２面、  ５２２Ａ 「止」スイッチ、  ５２２Ｂ 「おしり」スイッチ、  ５２２Ｃ 「洗浄位置」スイッチ、  ５２２Ｄ 「水勢」スイッチ、  ５２２Ｅ 表示部、  ５２３ 第３面、  ５２３Ａ スイッチ、  ５３１ モータ、  ５３２ 駆動部材、  ５３２ｅ 長孔、  ５９０ トイレットペーパー
【図１】
2018071061.tif 000003
【図２】
2018071061.tif 000004
【図３】
2018071061.tif 000005
【図４】
2018071061.tif 000006
【図５】
2018071061.tif 000007
【図６】
2018071061.tif 000008
【図７】
2018071061.tif 000009
【図８】
2018071061.tif 000010
【図９】
2018071061.tif 000011
【図１０】
2018071061.tif 000012
【図１１】
2018071061.tif 000013